【手続補正書】
【提出日】平成24年7月27日(2012.7.27)
【手続補正１】
【補正対象書類名】明細書
【補正対象項目名】００１２
【補正方法】変更
【補正の内容】
【００１２】
本発明は、着脱可能な記憶媒体を接続可能な画像形成装置であって、接続された前記記憶媒体に記憶されたデータを処理するための、複数のジョブを設定するジョブ設定手段と、前記ジョブ設定手段により設定された複数のジョブの実行指示を受け付ける実行指示受付手段と、前記実行指示受付手段により実行指示を受けた複数のジョブを実行するジョブ実行手段と、を備え、前記ジョブ実行手段は、前記記憶媒体が前記画像形成装置から取り外されているか否かに関わらず前記実行指示を受けたジョブの実行を開始し、前記ジョブ設定手段により設定された複数のジョブのうち少なくとも最後のジョブについては、前記記憶媒体が前記画像形成装置から取り外されている場合に実行することを特徴とする。
【手続補正２】
【補正対象書類名】明細書
【補正対象項目名】００１３
【補正方法】変更
【補正の内容】
【００１３】
また、本発明は、着脱可能な記憶媒体を接続可能な画像形成装置における情報処理方法であって、前記画像形成装置のジョブ設定手段が、接続された前記記憶媒体に記憶されたデータを処理するための、複数のジョブを設定するジョブ設定工程と、前記画像形成装置の実行指示受付手段が、前記ジョブ設定工程により設定された複数のジョブの実行指示を受け付ける実行指示受付工程と、前記画像形成装置のジョブ実行手段が、前記実行指示受付工程により実行指示を受けた複数のジョブを実行するジョブ実行工程と、を備え、前記ジョブ実行工程は、前記記憶媒体が前記画像形成装置から取り外されているか否かに関わらず前記実行指示を受けたジョブの実行を開始し、前記ジョブ設定手段により設定された複数のジョブのうち少なくとも最後のジョブについては、前記記憶媒体が前記画像形成装置から取り外されている場合に実行することを特徴とする。
【手続補正３】
【補正対象書類名】明細書
【補正対象項目名】００１４
【補正方法】変更
【補正の内容】
【００１４】
また、本発明は、着脱可能な記憶媒体を接続可能な画像形成装置において実行可能なプログラムであって、前記画像形成装置を、接続された前記記憶媒体に記憶されたデータを処理するための、複数のジョブを設定するジョブ設定手段と、前記ジョブ設定手段により設定された複数のジョブの実行指示を受け付ける実行指示受付手段と、前記実行指示受付手段により実行指示を受けた複数のジョブを実行するジョブ実行手段と、して機能させ、前記ジョブ実行手段は、前記記憶媒体が前記画像形成装置から取り外されているか否かに関わらず前記実行指示を受けたジョブの実行を開始し、前記ジョブ設定手段により設定された複数のジョブのうち少なくとも最後のジョブについては、前記記憶媒体が前記画像形成装置から取り外されている場合に実行することを特徴とする。
【手続補正４】
【補正対象書類名】特許請求の範囲
【補正対象項目名】全文
【補正方法】変更
【補正の内容】
【特許請求の範囲】
【請求項１】
着脱可能な記憶媒体を接続可能な画像形成装置であって、
接続された前記記憶媒体に記憶されたデータを処理するための、複数のジョブを設定するジョブ設定手段と、
前記ジョブ設定手段により設定された複数のジョブの実行指示を受け付ける実行指示受付手段と、
前記実行指示受付手段により実行指示を受けた複数のジョブを実行するジョブ実行手段と、
を備え、
前記ジョブ実行手段は、前記記憶媒体が前記画像形成装置から取り外されているか否かに関わらず前記実行指示を受けたジョブの実行を開始し、前記ジョブ設定手段により設定された複数のジョブのうち少なくとも最後のジョブについては、前記記憶媒体が前記画像形成装置から取り外されている場合に実行することを特徴とする画像形成装置。
【請求項２】
前記ジョブ設定手段は、さらに、ジョブの実行回数を設定することを特徴とし、
前記画像形成装置は、さらに、前記ジョブ設定手段により設定されたジョブの回数と、前記ジョブ実行手段により実行されたジョブの回数とを用いて、前記ジョブ実行手段により実行されるジョブが前記ジョブ設定手段により設定された複数のジョブのうち最後のジョブであるかを判定する判定手段をさらに備え、
前記ジョブ実行手段は、前記判定手段により最後のジョブであると判定された場合、前記記憶媒体が前記画像形成装置から取り外されている場合に当該ジョブを実行することを特徴とする請求項１に記載の画像形成装置。
【請求項３】
前記ジョブ設定手段は、複数種類のジョブを設定することを特徴とし、
前記判定手段は、前記複数種類のジョブにそれぞれ設定された実行回数の合計値と、前記ジョブ実行手段によりジョブが実行された回数とを用いて、前記ジョブ実行手段により実行されるジョブが前記ジョブ設定手段により設定された複数のジョブのうち最後のジョブであるかを判定することを特徴とする請求項２に記載の画像形成装置。
【請求項４】
前記判定手段により最後のジョブであると判定された場合に、前記接続された記憶媒体の取り外しを促す旨の通知をする通知手段をさらに備えることを特徴とする請求項２または３に記載の画像形成装置。
【請求項５】
前記記憶媒体が前記画像形成装置から取り外されたことを検知する検知手段をさらに備え、
前記ジョブ実行手段は、前記判定手段により最後のジョブであると判定された場合、前記検知手段により前記記憶媒体が前記画像形成装置から取り外されたことを検知してから当該ジョブを実行することを特徴とする請求項２乃至４のいずれか１項に記載の画像形成装置。
【請求項６】
前記ジョブ実行手段は、前記判定手段により最後のジョブであると判定されたジョブ以外のジョブについては、前記記憶媒体が前記画像形成装置から取り外されたか否かに関わらず実行することを特徴とする請求項２乃至５のいずれか１項に記載の画像形成装置。
【請求項７】
着脱可能な記憶媒体を接続可能な画像形成装置における情報処理方法であって、
前記画像形成装置のジョブ設定手段が、接続された前記記憶媒体に記憶されたデータを処理するための、複数のジョブを設定するジョブ設定工程と、
前記画像形成装置の実行指示受付手段が、前記ジョブ設定工程により設定された複数のジョブの実行指示を受け付ける実行指示受付工程と、
前記画像形成装置のジョブ実行手段が、前記実行指示受付工程により実行指示を受けた複数のジョブを実行するジョブ実行工程と、
を備え、
前記ジョブ実行工程は、前記記憶媒体が前記画像形成装置から取り外されているか否かに関わらず前記実行指示を受けたジョブの実行を開始し、前記ジョブ設定手段により設定された複数のジョブのうち少なくとも最後のジョブについては、前記記憶媒体が前記画像形成装置から取り外されている場合に実行することを特徴とする画像形成装置。
【請求項８】
着脱可能な記憶媒体を接続可能な画像形成装置において実行可能なプログラムであって、
前記画像形成装置を、
接続された前記記憶媒体に記憶されたデータを処理するための、複数のジョブを設定するジョブ設定手段と、
前記ジョブ設定手段により設定された複数のジョブの実行指示を受け付ける実行指示受付手段と、
前記実行指示受付手段により実行指示を受けた複数のジョブを実行するジョブ実行手段と、
して機能させ、
前記ジョブ実行手段は、前記記憶媒体が前記画像形成装置から取り外されているか否かに関わらず前記実行指示を受けたジョブの実行を開始し、前記ジョブ設定手段により設定された複数のジョブのうち少なくとも最後のジョブについては、前記記憶媒体が前記画像形成装置から取り外されている場合に実行することを特徴とするプログラム。